(57)【特許請求の範囲】
【請求項１】
符号分割多重接続通信システムの移動局における共通チャネルメッセージ送信装置において、
伝送されるデータストリームを区分することによってそれぞれインジケータフィールドとデータフィールドとから構成された複数のフレームのストリームを生成し、各前記フレームが伝送される最後のフレームであるか否かを示すインジケータを前記フレームの各インジケータフィールドに挿入するメッセージ生成器と、
前記生成されたメッセージを送信する逆方向共通チャネル送信器と
から構成されることを特徴とする符号分割多重接続通信システムの移動局における共通チャネルメッセージ送信装置。
【請求項２】
前記逆方向共通チャネル送信器は、前記インジケータがコーディングされないように、前記共通チャネルのメッセージにＣＲＣ(Cyclic Redundancy Code)を付加することを特徴とする請求項１記載の符号分割多重接続通信システムの移動局における共通チャネルメッセージ送信装置。
【請求項３】
伝送されるデータストリームを区分することによってそれぞれインジケータフィールドとデータフィールドとから構成された複数のフレームのストリームを生成し、各前記フレームが伝送される最後のフレームであるか否かを示すインジケータを前記フレームの各インジケータフィールドに挿入して逆方向共通チャネルのメッセージを伝送する移動局を備える符号分割多重接続通信システムの基地局における共通チャネルメッセージ受信装置において、
前記移動局から伝送される前記逆方向共通チャネルメッセージを受信する逆方向共通チャネル受信器と、
前記受信された逆方向共通チャネルフレーム内の前記インジケータフィールドを検査し、前記インジケータフィールドが前記逆方向共通チャネルの最後のフレームを示す時は、前記逆方向共通チャネルを解除するメッセージ処理器と
から構成されることを特徴とする符号分割多重接続通信システムの基地局における共通チャネルメッセージ受信装置。
【請求項４】
前記メッセージ処理器は、前記逆方向共通チャネルメッセージに付加されたＣＲＣを検査し、所定の値以上のＣＲＣエラーが検出された時は、前記逆方向共通チャネルを解除することを特徴とする請求項３記載の符号分割多重接続通信システムの基地局における共通チャネルメッセージ受信装置。
【請求項５】
符号分割多重接続通信システムの移動局における共通チャネルメッセージ送信方法において、
伝送されるデータストリームを区分することによってそれぞれインジケータフィールドとデータフィールドとから構成された複数のフレームのストリームを生成する過程と、
最後のフレームの以外のフレームの各インジケータフィールドに連続するフレームを示すインジケータを挿入する過程と、
前記複数のフレームの最後のフレームのインジケータフィールドに最後のフレームを示すインジケータを挿入する過程と、
前記生成されたメッセージを逆方向共通チャネルを通して伝送する過程と
からなることを特徴とする符号分割多重接続通信システムの移動局における共通チャネルメッセージ送信方法。
【請求項６】
前記インジケータがコーディングされないように、前記共通チャネルのメッセージにＣＲＣを付加する過程をさらに備えることを特徴とする請求項５記載の符号分割多重接続通信システムの移動局における共通チャネルメッセージ送信方法。
【請求項７】
前記逆方向共通チャネルは、逆方向共通制御チャネルであることを特徴とする請求項５記載の符号分割多重接続通信システムの移動局における共通チャネルメッセージ送信方法。
【請求項８】
伝送されるデータストリームを区分することによってそれぞれインジケータフィールドとデータフィールドとから構成された複数のフレームのストリームを生成し、各前記フレームが伝送される最後のフレームであるか否かを示すインジケータを前記フレームの各インジケータフィールドに挿入して逆方向共通チャネルのメッセージを伝送する移動局を備える符号分割多重接続通信システムの基地局における共通チャネルメッセージ受信方法において、
前記移動局から伝送される前記逆方向共通チャネルメッセージを受信する過程と、
前記受信された逆方向共通チャネルフレームの内の前記インジケータフィールドを検査し、前記インジケータフィールドが前記逆方向共通チャネルの最後のフレームを示す時は、前記逆方向共通チャネルを解除する過程と
からなることを特徴とする符号分割多重接続通信システムの基地局における共通チャネルメッセージ受信方法。
【請求項９】
前記逆方向共通チャネルメッセージに付加されたＣＲＣを検査し、所定の値以上のＣＲＣエラーが検出される時は、前記逆方向共通チャネルを解除する過程をさらに備えることを特徴とする請求項８記載の符号分割多重接続通信システムの基地局における共通チャネルメッセージ受信方法。
【請求項１０】
符号分割多重接続通信システムの基地局における共通チャネルメッセージ送信装置において、
伝送されるデータストリームを区分することによってそれぞれインジケータフィールドとデータフィールドとから構成された複数のフレームのストリームを生成し、最後のフレームの以外のフレームの前記インジケータフィールドに連続するフレームを示すインジケータを挿入し、前記複数のフレームの最後のフレームのインジケータフィールドに最後のフレームを示すインジケータを挿入するメッセージ生成器と、
前記生成されたメッセージを伝送する順方向共通チャネル送信器と
から構成されることを特徴とする符号分割多重接続通信システムの基地局における共通チャネルメッセージ送信装置。
【請求項１１】
前記順方向共通チャネル送信器は、前記インジケータがコーディングされないように、前記共通チャネルのメッセージにＣＲＣを付加することを特徴とする請求項１０記載の符号分割多重接続通信システムの基地局における共通チャネルメッセージ送信装置。
【請求項１２】
伝送されるデータストリームを区分することによってそれぞれインジケータフィールドとデータフィールドとから構成された複数のフレームのストリームを生成し、各前記フレームが伝送される最後のフレームであるか否かを示すインジケータを前記フレームの各インジケータフィールドに挿入して順方向共通チャネルのメッセージを伝送する基地局を備える符号分割多重接続通信システムの移動局における共通チャネルメッセージ受信装置において、
移動局から伝送される前記順方向共通チャネルメッセージを受信する順方向共通チャネル受信器と、
前記受信された順方向共通チャネルフレームの内の前記インジケータフィールドを検査し、前記インジケータフィールドが前記順方向共通チャネルの最後のフレームを示す時は、前記順方向共通チャネルを解除するメッセージ処理器と
から構成されることを特徴とする符号分割多重接続通信システムの移動局における共通チャネルメッセージ受信装置。
【請求項１３】
前記メッセージ処理器は、前記順方向共通チャネルメッセージに付加されたＣＲＣを検査し、所定の値以上のＣＲＣエラーが検出された時は、前記順方向共通チャネルを解除することを特徴とする請求項１２記載の符号分割多重接続通信システムの移動局における共通チャネルメッセージ受信装置。
【請求項１４】
符号分割多重接続通信システムの基地局における共通チャネルメッセージ送信方法において、
伝送されるデータストリームを区分することによってそれぞれインジケータフィールドとデータフィールドとから構成された複数のフレームのストリームを生成する過程と、
最後のフレームの以外のフレームの各インジケータフィールドに連続するフレームを示すインジケータを挿入する過程と、
前記複数のフレームの最後のフレームのインジケータフィールドに最後のフレームを示すインジケータを挿入する過程と、
前記生成されたメッセージを順方向共通チャネルを通して伝送する過程と
からなることを特徴とする符号分割多重接続通信システムの基地局における共通チャネルメッセージ送信方法。
【請求項１５】
前記インジケータがコーディングされないように、前記共通チャネルのメッセージにＣＲＣを付加する過程をさらに備えることを特徴とする請求項１４記載の符号分割多重接続通信システムの基地局における共通チャネルメッセージ送信方法。
【請求項１６】
前記順方向共通チャネルは、順方向共通制御チャネルであることを特徴とする請求項１４記載の符号分割多重接続通信システムの基地局における共通チャネルメッセージ送信方法。
【請求項１７】
伝送されるデータストリームを区分することによってそれぞれインジケータフィールドとデータフィールドとから構成された複数のフレームのストリームを生成し、各前記フレームが伝送される最後のフレームであるか否かを示すインジケータを前記フレームの各インジケータフィールドに挿入して順方向共通チャネルのメッセージを伝送する基地局を備える符号分割多重接続通信システムの移動局における共通チャネルメッセージ受信方法において、
前記基地局から伝送される前記順方向共通チャネルメッセージを受信する過程と、
前記受信された順方向共通チャネルフレームの内の前記インジケータフィールドを検査し、前記インジケータフィールドが前記順方向共通チャネルの最後のフレームを示す時は、前記順方向共通チャネルを解除する過程と
からなることを特徴とする符号分割多重接続通信システムの移動局における共通チャネルメッセージ受信方法。
【請求項１８】
前記順方向共通チャネルメッセージに付加されたＣＲＣを検査し、所定の値以上のＣＲＣエラーが検出された時は、前記順方向共通チャネルを解除する過程をさらに備えることを特徴とする請求項１７記載の符号分割多重接続通信システムの移動局における共通チャネルメッセージ受信方法。
【請求項１９】
符号分割多重接続通信システムにおける共通チャネルメッセージ送信装置において、
伝送されるデータストリームを区分することによってそれぞれインジケータフィールドとデータフィールドとから構成された複数のフレームのストリームを生成し、前記各フレームが伝送される最後のフレームであるか否かを示すインジケータを前記フレームの各インジケータフィールドに挿入するメッセージ生成器と、
前記生成されたメッセージを伝送する共通チャネル送信器と
から構成されることを特徴とする符号分割多重接続通信システムにおける共通チャネルメッセージ送信装置。
【請求項２０】
前記共通チャネル送信器は、前記インジケータがコーディングされないように、前記共通チャネルのメッセージにＣＲＣを付加することを特徴とする請求項１９記載の符号分割多重接続通信システムにおける共通チャネルメッセージ送信装置。
【請求項２１】
伝送されるデータストリームを区分することによってそれぞれインジケータフィールドとデータフィールドとから構成された複数のフレームのストリームを生成し、各前記フレームが伝送される最後のフレームであるか否かを示すインジケータを前記フレームの各インジケータフィールドに挿入して共通チャネルメッセージを伝送する生成器を備える符号分割多重接続通信システムにおける共通チャネルメッセージ受信装置において、
前記共通チャネルメッセージを受信する共通チャネル受信器と、
前記受信された共通チャネルフレームの内の前記インジケータフィールドを検査し、前記インジケータフィールドが前記共通チャネルの最後のフレームを示す時は前記共通チャネルを解除するメッセージ処理器と
から構成されることを特徴とする符号分割多重接続通信システムにおける共通チャネルメッセージ受信装置。
【請求項２２】
前記メッセージ処理器は、前記共通チャネルメッセージに付加されたＣＲＣを検査し、所定の値以上のＣＲＣエラーが検出された時は、前記共通チャネルを解除する過程をさらに備えることを特徴とする請求項２１記載の符号分割多重接続通信システムにおける共通チャネルメッセージ受信装置。
【請求項２３】
符号分割多重接続通信システムにおける共通チャネルメッセージ送信方法において、
伝送されるデータストリームを区分することによってそれぞれインジケータフィールドとデータフィールドとから構成された複数のフレームのストリームを生成する過程と、
最後のフレームの以外のフレームの各インジケータフィールドに連続するフレーム示すインジケータを挿入する過程と、
前記複数のフレームの最後のフレームの前記インジケータフィールドに最後のフレームを示すインジケータを挿入する過程と、
前記生成されたメッセージを共通チャネルを通して伝送する過程と
からなることを特徴とする符号分割多重接続通信システムにおける共通チャネルメッセージ送信方法。
【請求項２４】
前記インジケータがコーディングされないように、前記共通チャネルのメッセージにＣＲＣを付加する過程をさらに備えることを特徴とする請求項２３記載の符号分割多重接続通信システムにおける共通チャネルメッセージ送信方法。
【請求項２５】
前記共通チャネルは、共通制御チャネルであることを特徴とする請求項２３記載の符号分割多重接続通信システムにおける共通チャネルメッセージ送信方法。
【請求項２６】
伝送されるデータストリームを区分することによってそれぞれインジケータフィールドとデータフィールドとから構成された複数のフレームのストリームを生成し、各前記フレームが伝送される最後のフレームであるか否かを示すインジケータを前記フレームの各インジケータフィールドに挿入して共通チャネルのメッセージを伝送する生成器を備える符号分割多重接続通信システムにおけるメッセージ受信方法において、
前記共通チャネルメッセージを受信する過程と、
前記受信された共通チャネルフレームの内の前記インジケータフィールドを検査し、前記インジケータフィールドが前記共通チャネルの最後のフレームを示す時は、前記共通チャネルを解除する過程と
からなることを特徴とする符号分割多重接続通信システムにおけるメッセージ受信方法。
【請求項２７】
前記共通チャネルメッセージに付加されたＣＲＣを検査し、所定の値以上のＣＲＣエラーが検出された時は、前記共通チャネルを解除する過程をさらに備えることを特徴とする請求項２６記載の符号分割多重接続通信システムにおけるメッセージ受信方法。
【発明の詳細な説明】
【０００１】
【発明の属する技術分野】
本発明は、符号分割多重接続通信システムにおける共通チャネル通信装置及び方法に関し、特に、共通チャネルを専用化することによって通信を遂行する装置及び方法に関する。
【０００２】
【従来の技術】
従来、符号分割多重接続(Code Division Multiple Access: ＣＤＭＡ)方式の移動通信システムは、主に音声サービスを提供する。しかしながら、将来のＣＤＭＡ移動通信システムは、音声サービスだけでなくデータサービスも提供できるＩＭＴ−２０００規格を支援する。特に、前記ＩＭＴ−２０００規格は、高品質の音声サービス、動画像サービス、インターネット検索サービスも提供することができる。
【０００３】
ＣＤＭＡ移動通信システムは、専用チャネル(dedicated channel)及び共通チャネル(common channel)を使用してデータ通信を遂行する。前記専用チャネル及び共通チャネルは、逆方向リンク及び順方向リンクの両方に存在する。前記共通チャネルは、基地局との通信において、複数の移動局が共通に使用するので、複数の移動局が同時に通信を試みる時は、衝突が発生する。
【０００４】
前記専用チャネルを通してデータを伝送する時、前記基地局は、独立に割り当てられた専用チャネルを通して前記移動局との通信を遂行するので、移動局間の衝突によって伝送が失敗することなく、前記基地局または前記移動局へのメッセージ伝送において、成功の確率が高い。しかしながら、前記共通チャネルを通してデータを伝送する時は、伝送成功の確率が低いので、前記移動局は前記基地局にアクセスを試みるために、再伝送アクセスを繰り返して遂行するようになる。前記のような再伝送過程の頻繁な遂行によって、資源浪費及びチャネル間の干渉が増加する。
【０００５】
現在のＣＤＭＡ移動通信システム(特に、北米方式のシステム)は、逆方向共通チャネルとして、逆方向共通制御チャネル(Reverse Common Control Channel: Ｒ−ＣＣＣＨ)及び逆方向改善アクセスチャネル(Reverse Enhanced Access Channel: Ｒ−ＥＡＣＨ)を有するが、従来のＩＳ−９５Ｂ通信システムは、逆方向アクセスチャネル(Reverse Access Channel: Ｒ−ＡＣＨ)のみを有する。従って、前記Ｒ−ＡＣＨを通してデータを伝送する場合、各移動局は前記Ｒ−ＡＣＨを使用するために他の移動局と競争し、それにより、アクセスを失敗することになる。従って、前記逆方向チャネルの伝送性能の向上のために、資源を専用化することによって前記共通チャネルを使用する方法が提案されている。前記のように専用化によって前記共通チャネルを使用する方法は、本願の出願人による大韓民国特許出願番号第１９９８−１４１７９号、第１９９８−１３１５０号、第１９９８−１４２７４号、第１９９８−１４２７５号、第１９９８−１４２７６号、第１９９８−１４８８０号などに開示されている。前記共通チャネルの専用化方法は、前記基地局及び前記移動局が前記共通チャネルを通して通信を試みる時、前記基地局が前記移動局にアクセスする共通チャネル資源を専用または準専用チャネルとして割り当て(専用化)するので、他の移動局から発生する共通チャネルの信号によって、特定の移動局が、障害なしで前記基地局にデータを伝送できるようになり、伝送の成功率が向上する。
【０００６】
しかしながら、前記基地局は、前記移動局に前記Ｒ−ＣＣＣＨ及び電力制御チャネルを割り当てるためには、現在どのＲ−ＣＣＣＨが使用されているかを確認する必要がある。しかしながら、前記のような従来技術には、それに対する明確な記載がない。この場合、前記基地局は、前記専用チャネルの最大使用時間を基にして前記Ｒ−ＣＣＣＨを割り当てるべきである。例えば、前記Ｒ−ＣＣＣＨの最大使用時間が１０秒に制限されている場合、このチャネルの再割り当ては、前記チャネルが使用されてから１０秒が経過した後に許容される。しかしながら、一般的なデータの長さは可変であるので、全てのメッセージが前記Ｒ−ＣＣＣＨの最大使用時間の間に伝送されるとは限らない。その結果、前記基地局は、前記Ｒ−ＣＣＣＨが実際使用されない時であっても、前記Ｒ−ＣＣＣＨを再割り当てることができないので、資源浪費になる。
【０００７】
【発明が解決しようとする課題】
従って、本発明の目的は、符号分割多重接続通信システムにおいて、専用化した共通チャネルを通して伝送される共通チャネルメッセージの継続／中断を表示する装置及び方法を提供することにある。
本発明の他の目的は、符号分割多重接続通信システムにおいて、共通チャネルを通して受信されるメッセージの継続インジケータを検査し、前記受信されたメッセージが最後のフレームである場合、前記専用化した共通チャネルを自動に解除する装置及び方法を提供することにある。
【０００８】
本発明のまた他の目的は、符号分割多重接続通信システムにおいて、移動局が共通チャネルの使用終了時点を基地局に通報する装置及び方法を提供することにある。
本発明のまた他の目的は、符号分割多重接続通信システムにおいて、移動局から提供される前記共通チャネルの使用終了時点を基地局が感知して、専用化した共通チャネルを解除する装置及び方法を提供することにある。
【０００９】
【課題を解決するための手段】
前記のような目的を解決するために、移動局は、伝送されるデータストリームを区分することによってそれぞれインジケータフィールドとデータフィールドとから構成された複数のフレームのストリームを生成し、前記複数のフレームの最後のフレームのインジケータフィールドに最後のフレームを示すインジケータを挿入し、前記最後のフレーム以外のフレームのインジケータフィールドに連続するフレームを示すインジケータを挿入するメッセージ生成器と、前記生成されたメッセージを伝送する順方向共通チャネル送信器とから構成される共通チャネルメッセージ送信装置を有する。前記逆方向共通チャネル送信器は、前記共通チャネルのメッセージにＣＲＣを付加し、前記インジケータはコーディングを遂行しない。
【００１０】
基地局は、前記移動局から伝送される前記逆方向共通チャネルメッセージを受信する逆方向共通チャネル受信器と、前記受信された逆方向共通チャネルフレーム内の前記インジケータフィールドを検査し、前記インジケータフィールドが前記逆方向共通チャネルの最後のフレームを示す時は、前記逆方向共通チャネルを解除するメッセージ処理器とから構成される共通チャネルメッセージ受信装置を有する。前記メッセージ処理器は、前記逆方向共通チャネルメッセージに付加されたＣＲＣを検査し、所定の値以上のＣＲＣエラーが検出された時は、前記逆方向共通チャネルを解除する。
【００１１】
【発明の実施の形態】
本発明の望ましい実施形態を添付図面を参照して詳細に説明する。下記説明において、本発明の要旨を明確にするために関連した公知機能または構成に対する具体的な説明は省略する。
本発明の実施形態による共通チャネルを専用化するＣＤＭＡ通信システムにおいて、移動局は、専用化した共通チャネルの使用終了時点を基地局に提供し、その後、前記基地局は、前記移動局から提供された前記使用終了時点情報によって前記専用化した共通チャネルを解除する。このために、本発明の実施形態において、前記移動局は、前記逆方向共通チャネルを通して伝送される現在のフレームに次のフレームの継続／中断を表示し、前記基地局は、前記逆方向共通チャネルを通して受信されるメッセージフレームの継続／中断を確認して前記逆方向共通チャネルを解除するか否かを決定する。このように、前記基地局は、前記共通チャネルを他の移動局に割り当てることができるので、前記共通チャネルの使用効率が向上する。
【００１２】
本発明の実施形態において、前記移動局が前記逆方向共通チャネルのためのメッセージフレームのヘッドに、次のメッセージの継続／中断を表示する継続インジケータ(Continuation Indicator: 以下、ＣＩと称する)フィールドを設定すると仮定する。しかしながら、前記ＣＩフィールドを前記移動局と前記基地局との間に予め約束した特定の位置で前記メッセージフレームに挿入しても、同一の効果を得ることができる。さらに、本発明の実施形態においては、例えば前記ＣＩフィールドが１ビットで構成されることにしているが、前記ＣＩフィールドの長さは、必要によって可変である。さらに、本発明の実施形態による前記共通チャネルの解除方法は、例えば、前記逆方向共通チャネルに適用されると説明しているが、本発明は、前記逆方向共通チャネルだけでなく順方向共通チャネルにも適用することができる。
【００１３】
本発明の実施形態による前記共通チャネルメッセージ解除方法の説明の前に、ＣＤＭＡ通信システムの共通チャネルの種類及び構造に関して説明し、さらに、前記共通チャネルの予約モード動作及び専用化モード動作に関して説明する。
まず、ＣＤＭＡ通信システムの共通チャネルの構造に関して説明する。ここで、‘Ｒ’で表示される共通チャネルは、逆方向リンクのための共通チャネルであり、前記移動局が送信器を備え、前記基地局が受信器を備える。さらに、‘Ｆ’で表示される共通チャネルは、順方向リンクのための共通チャネルであり、前記基地局が送信器を備え、前記移動局が受信器を備える。
【００１４】
第１に、順方向共通制御チャネル(Forward-Common Control Channel: Ｆ−ＣＣＣＨ)は、前記基地局から前記移動局にデータを伝送するために使用され、複数の移動局によって同時に受信される。前記Ｆ−ＣＣＣＨを通して伝送されるメッセージは、目的の移動局を識別するための移動局識別子を含む。前記Ｆ−ＣＣＣＨは、使用者データ及び３階層(layer-3)信号を伝送するために使用される。前記３階層信号に対する応答を前記移動局から専用化モード(Designated mode)のＲ−ＣＣＣＨを通して受信することを希望する場合、前記Ｆ−ＣＣＣＨは、前記Ｒ−ＣＣＣＨの電力制御のために使用されるＣＰＣＣＨ(Common Power Control Channel)及びＣＰＣ−ＳＣＨ(Common Power Control-Subchannel)のチャネル識別子と共に前記３階層信号を伝送する。
【００１５】
第２に、前記Ｒ−ＣＣＣＨは、前記移動局から前記基地局にデータを伝送するために使用され、複数の移動局によって共有される。前記Ｒ−ＣＣＣＨは、予約モード及び専用化モードを備える。前記予約モードは、複数の移動局が同時にこのチャネルの使用を試みる時に発生する衝突を解決するために使用されるモードであり、前記Ｒ−ＥＡＣＨ及び前記Ｆ−ＣＡＣＨ(Forward-Common Assignment Channel)を使用して遂行される。前記専用化モードにおいて、前記Ｆ−ＣＣＣＨを通して伝送される３階層メッセージは、衝突を解決するために、前記３階層メッセージに対する応答が伝送されるＲ−ＣＣＣＨに対するチャネル番号と、ＣＰＣＣＨ及びＣＰＣ−ＳＣＨのチャネル番号とを前記移動局に提供する。前記予約モードで特定の移動局がデータを伝送したか否かを確認するために、伝送された各メッセージは移動局識別子を有する。前記Ｒ−ＣＣＣＨは、使用者データに対する３階層制御信号を伝送するために使用される。前記移動局が前記Ｒ−ＣＣＣＨを利用してメッセージを伝送する時、その出力の強度は前記基地局から伝送される電力制御信号によって制御される。
【００１６】
第３に、前記Ｒ−ＥＡＣＨは、前記予約モードで前記移動局が前記Ｒ−ＣＣＣＨの使用を試みることを前記基地局に知らせるために使用される。前記移動局は、どの移動局が前記Ｒ−ＥＡＣＨの使用を試みるかを前記基地局に知らせるために、自分の識別子(Hash ID)を前記基地局に伝送する。前記識別子は、その長さが短いので、前記移動局が個々の固有の値を有することはできない。しかしながら、複数の移動局が、同一の識別子を利用して同時に前記Ｒ−ＥＡＣＨを通して前記Ｒ−ＣＣＣＨの使用を要請するメッセージを伝送する確率は非常に低い。前記Ｒ−ＥＡＣＨを通して前記移動局から伝送される前記Ｒ−ＣＣＣＨに対する前記要請に対する応答は、前記Ｆ−ＣＡＣＨを通して伝送される。
【００１７】
第４に、前記Ｆ−ＣＡＣＨは、予約モードで前記基地局が前記Ｒ−ＥＡＣＨを通して受信した前記Ｒ−ＣＣＣＨに対する要請に対する応答を伝達するために使用されるチャネルである。前記基地局は、複数の移動局から前記Ｒ−ＣＣＣＨに対する要請を同時に受信することができるので、前記応答メッセージは、どの移動局の要請に対する応答であるかを示すために、前記移動局から伝送された識別子を含む。さらに、前記メッセージは、前記Ｒ−ＣＣＣＨ、ＣＰＣＣＨ、及びＣＰＣ−ＳＣＨのチャネル番号を前記移動局に伝送する。
【００１８】
第５に、前記ＣＰＣＣＨは、前記基地局が前記Ｒ−ＣＣＣＨに対する電力制御信号を伝送する時に使用されるチャネルである。
第６に、前記ＣＰＣ−ＳＣＨは、１つのＣＰＣＣＨを時間単位で分割することによって生成されるチャネルである。前記ＣＰＣＣＨは、ＣＰＣ−ＳＣＨ単位で各基地局に割り当てられる。
前記のような共通チャネルの動作モードを図１Ａ及び図１Ｂを参照して詳細に説明する。特に、図１Ａは、予約モードで遂行される前記共通チャネルの動作を示し、図１Ｂは、専用化モードで遂行される前記共通チャネルの動作を示す。
【００１９】
図１Ａを参照して予約モードで遂行される前記共通チャネルの動作を詳細に説明する。前記移動局が、１１１のように、前記Ｒ−ＥＡＣＨを通して前記基地局に前記Ｒ−ＣＣＣＨの使用を要請する場合、前記基地局は、１１３のように、前記Ｆ−ＣＡＣＨを通して前記Ｒ−ＣＣＣＨを割り当てる。次に、前記基地局は、１１５のように、前記ＣＰＣ−ＳＣＨを通して前記移動局に前記Ｒ−ＣＣＣＨに対する送信電力制御信号を送信し、その後、前記移動局は、１１７のように、前記Ｒ−ＣＣＣＨを通して前記基地局にメッセージを送信し、前記基地局から送信される前記電力制御信号によって前記Ｒ−ＣＣＣＨメッセージの送信電力を制御する。
【００２０】
図１Ｂを参照して、前記専用化モードで遂行される前記共通チャネルの動作を詳細に説明する。前記基地局は、１５１のように、前記Ｆ−ＣＣＣＨを通して前記移動局にＬ３(layer-3)メッセージ及びＲ−ＣＣＣＨ割り当て情報を送信し、前記専用化したＲ−ＣＣＣＨの送信電力を制御するために、１５３のように、前記ＣＰＣ−ＳＣＨを通して電力制御信号を送信する。その後、前記移動局は、１５５のように、前記Ｒ−ＣＣＣＨの割り当て情報によって前記Ｒ−ＣＣＣＨを専用化した共通チャネルにセットし、次に、前記Ｌ３メッセージに対する応答メッセージを前記Ｒ−ＣＣＣＨを通して伝送し、この時、前記ＣＰＣ−ＳＣＨを通して受信される前記電力制御信号によって前記Ｒ−ＣＣＣＨの送信電力を制御する。図１Ｂは、前記基地局の制御下で前記Ｒ−ＣＣＣＨが専用化されることを説明しているが、前記Ｒ−ＣＣＣＨは、前記移動局の要求によって専用化されることもできる。
【００２１】
前記のように前記共通チャネルの専用化によってメッセージを通信する場合、本発明の実施形態において、送信側は、前記専用化した共通チャネルのメッセージ通信が終了したか否かを表示し、前記表示情報を伝送する。下記の説明において、前記専用化した共通チャネルはＲ−ＣＣＣＨであり、前記移動局は前記メッセージフレームを使用して前記Ｒ−ＣＣＣＨの使用が終了したか否かを表示し、前記基地局は前記受信されたＲ−ＣＣＣＨメッセージフレームを分析することによって、前記専用化したＲ−ＣＣＣＨの使用が終了した否かを判断すると仮定する。
【００２２】
本発明の実施形態によるＣＤＭＡ通信システムにおいて、前記基地局及び前記移動局は、前記共通チャネルを通して受信されるメッセージフレームを処置する周知の装置を含む。しかしながら、本発明において、前記共通チャネルメッセージの生成装置は、次のフレームの継続を表示するインジケータを挿入したフレームを生成するメッセージ生成器を含み、前記共通チャネルメッセージの受信装置は、前記受信されるメッセージフレームに含まれたインジケータを分析して、前記受信されたフレームが最後のフレームである場合、前記共通チャネルを自動に解除する。従って、簡略化のために、前記共通チャネルの送信装置及び受信装置の詳細な説明は省略する。
【００２３】
図２は、本発明の実施形態によるＲ−ＣＣＣＨメッセージのフレームフォーマットを示す。参照番号２１１は、次のメッセージの継続／中断を表示するＣＩが付加されたＲ−ＣＣＣＨメッセージを示す。参照番号２１３は、前記Ｒ−ＣＣＣＨを通して伝送されるメッセージフレームを示し、前記メッセージにはＣＲＣ(Cyclic Redundancy Code)が付加される。２１３に示すフォーマットを有する前記Ｒ−ＣＣＣＨフレームは、５ｍｓ、１０ｍｓ、または２０ｍｓのサイズ(または、長さ)を有することができる。従って、前記移動局は、前記Ｒ−ＣＣＣＨを通して前記メッセージフレームを伝送する前に、前記メッセージフレームに前記ＣＩインジケータを付加する。前記移動局は、次に伝送するＲ−ＣＣＣＨフレームが存在する場合、前記ＣＩインジケータをセットして前記Ｒ−ＣＣＣＨの継続使用を表示する。逆に、次に伝送するＲ−ＣＣＣＨフレームが存在しない場合、前記移動局は、前記ＣＩインジケータをリセットして前記Ｒ−ＣＣＣＨの使用終了を表示する。
【００２４】
従って、前記移動局に含まれた前記逆方向共用チャネルのメッセージを送信する装置に関して説明すると、上位階層のメッセージ生成器は、前記逆方向共通チャネルを通して伝送されるメッセージのサイズを検査して、図２の２１１に示すように、次のフレームの有無を示すＣＩインジケータを付加することによって、前記共通チャネルのメッセージを生成する。さらに、物理階層の逆方向共通チャネルの送信器は、送信の前に、前記メッセージ生成器によって生成されたメッセージにＣＲＣを付加する。ここで、前記逆方向共通チャネルの送信器は、前記基地局からの専用化情報によって専用化した逆方向共通チャネルに割り当てられることができる。
【００２５】
次に、前記移動局から伝送される前記逆方向共通チャネルのメッセージを受信する基地局装置に関して説明すると、前記逆方向共通チャネルの受信器は、前記移動局から伝送される前記逆方向共通チャネルのメッセージを受信する。メッセージ処理器は、前記受信された逆方向共通チャネルのメッセージに付加されたＣＩインジケータを検査して、前記逆方向共通チャネルの使用が終了した時は、前記逆方向共通チャネルの割り当てを解除する。この時、前記逆方向共通チャネル受信器は、特定の移動局と専用に共通チャネルメッセージを通信するために、専用化した逆方向共通チャネルを割り当てることができる。
【００２６】
図３は、本発明の実施形態によって、前記移動局において、前記Ｒ−ＣＣＣＨを通してメッセージを伝送する動作過程を示す。前記移動局は、予約モード及び専用化モードの両方で前記メッセージフレームにＣＩインジケータを付加した後、前記Ｒ−ＣＣＣＨを通してメッセージを伝送することができるが、本発明の実施形態では、前記移動局が前記専用化モードで前記Ｒ−ＣＣＣＨメッセージを伝送するケースを説明する。
【００２７】
図３を参照して、本発明の実施形態によって、前記移動局が前記Ｒ−ＣＣＣＨの使用終了を前記基地局に知らせる方法を説明する。段階３１１で、前記基地局からＲ−ＣＣＣＨの割り当てメッセージを受信すると、前記移動局は、前記割り当てメッセージによって前記Ｒ−ＣＣＣＨを専用化チャネルにセットする。前記Ｒ−ＣＣＣＨは、専用化したロングコード(long code)を使用して、専用化チャネルにセットされることができる。前記ロングコードとしては、(１)前記移動局の固有のＥＳＮ(Electronic Serial Number)を利用するロングコードマスク、(２)パブリックロングコードマスク(public long code mask)、または(３)前記基地局と前記移動局との間に専用に使用するために別途に指定されるロングコードを使用することができる。従って、前記専用化したロングコードを前記Ｒ−ＣＣＣＨに対する拡散コードにセットすることによって、前記移動局は、前記Ｒ−ＣＣＣＨを前記専用化したチャネルにセットする。この時、前記ロングコードを前記基地局及び前記移動局によって共有することができる。
【００２８】
前記Ｒ−ＣＣＣＨを前記専用化チャネルにセットした後、前記移動局は、段階３１３で、前記Ｒ−ＣＣＣＨを通して伝送されるデータの量を調査する。段階３１３で、前記Ｒ−ＣＣＣＨを通して伝送されるデータの残りの量が、現在伝送されるフレームのサイズを超過する場合、つまり、次に伝送されるＲ−ＣＣＣＨメッセージフレームが存在する場合、前記移動局は、段階３１５で、前記ＣＩインジケータをセットして、次に伝送されるフレームが存在することを表示する。その後、前記移動局は、段階３１７で、ＣＲＣを生成して、前記生成されたメッセージフレームに前記ＣＲＣを追加する。次に、前記移動局は、段階３１９で、前記Ｒ−ＣＣＣＨを通して前記生成されたメッセージフレームを伝送し、次のフレームを伝送するために段階３１３に戻る。
【００２９】
ここで、前記Ｒ−ＣＣＣＨを通して伝送されるメッセージフレームは、伝送の前に、前記専用化したロングコードによって拡散され、前記Ｒ−ＣＣＣＨを通して伝送される信号の送信電力は、前記ＣＰＣ−ＳＣＨを通して前記基地局から受信される電力制御信号によって制御される。
【００３０】
前記のような過程を繰り返すことによって、前記移動局は、前記Ｒ−ＣＣＣＨを通して伝送されるデータの残りの量を調査する。段階３１３で、前記Ｒ−ＣＣＣＨを通して伝送される前記データの残りの量が現在伝送されるフレームのサイズを超過しない場合、つまり、次に伝送されるＲ−ＣＣＣＨメッセージフレームが存在しない場合、前記移動局は、段階３２１で、前記ＣＩインジケータをリセットして、次に伝送されるフレームが存在しないことを表示する。前記移動局は、段階３２３で、ＣＲＣを生成し、前記生成されたメッセージフレームに前記ＣＲＣを追加する。次に、前記移動局は、段階３２５で、前記生成されたメッセージフレームを前記Ｒ−ＣＣＣＨを通して伝送した後、前記Ｒ−ＣＣＣＨを解除する。
【００３１】
前記移動局が前記メッセージフレームに前記ＣＩインジケータを付加して送信する場合、前記基地局は、図４に示す過程によって、前記Ｒ−ＣＣＣＨを通して受信されるメッセージを処理する。
図４を参照すると、特定の移動局のために前記Ｒ−ＣＣＣＨが専用化される場合、前記基地局は、段階４１１で、該当移動局にＲ−ＣＣＣＨの割り当て命令を伝送すると同時に、前記Ｒ−ＣＣＣＨ、ＣＰＣＣＣＨ、及びＣＰＣ−ＳＣＨを割り当てる。前記チャネルの割り当ての後、前記基地局は、段階４１３で、ＣＲＣ＿ＦＡＩＬを‘０’に初期化する。その後、前記基地局は、段階４１５で、前記専用化したＲ−ＣＣＣＨを通して受信されるメッセージを待機する。
【００３２】
前記メッセージを受信すると、前記基地局は、段階４１７で、前記受信されたＲ−ＣＣＣＨメッセージフレームのＣＲＣを検査する。段階４１７で、前記ＣＲＣ検査に成功すると、前記基地局は、段階４１９で、前記ＣＲＣ検査に成功したＲ−ＣＣＣＨのメッセージフレームに付加されたＣＩインジケータを検査する。ここで、前記ＣＩインジケータは、次のＲ−ＣＣＣＨフレームの有無を表示するために前記移動局から伝送されたインジケータである。従って、前記ＣＩインジケータが特定の値(例えば、‘１’)にセットされる時、つまり、その次に伝送されるＲ−ＣＣＣＨフレームが存在する時、前記基地局は、段階４２１で、前記ＣＲＣ検査済みのメッセージフレームを上位階層に伝送し、段階４１５に戻って次の状態に備える。
【００３３】
しかしながら、段階４１９で、前記ＣＩインジケータがリセットされた場合、つまり、次に伝送されるＲ−ＣＣＣＨフレームが存在しない場合、前記基地局は、段階４２３で、前記ＣＲＣ検査済みのメッセージフレームを前記上位階層に伝送する。その後、前記基地局は、段階４２９に進行して、前記専用化したＲ−ＣＣＣＨを解除する動作を遂行する。つまり、前記Ｒ−ＣＣＣＨメッセージの受信が完了すると、前記基地局は、段階４２９で、前記Ｒ−ＣＣＣＨ、ＣＰＣＣＨ、及びＣＰＣ−ＳＣＨを解除する。
【００３４】
前記のように、前記移動局から伝送され、次のメッセージフレームが継続するか否かを示すＣＩフィールドは、前記フレームに対するＣＲＣ検査の後、前記基地局の受信器で検査されるので、前記ＣＩインジケータは信頼度が非常に高い。従って、前記ＣＩフィールドに対する追加のコーディング(coding)は要らない。
【００３５】
段階４１７で、前記受信されたＲ−ＣＣＣＨのメッセージフレームを検査する過程で、前記ＣＲＣ検査に失敗した場合、前記基地局は、段階４２５進行して、前記ＣＲＣ＿ＦＡＩＬ値を１増加させた後、段階４２７で、前記ＣＲＣ＿ＦＡＩＬ値を検査する。段階４２７で、ＣＲＣ＿ＦＡＩＬ＜ＣＲＣ＿ＦＡＩＬ＿ＭＡＸである場合、前記基地局は、段階４１５に戻って次の状態に備える。しかしながら、段階４２７で、ＣＲＣ＿ＦＡＩＬ≧ＣＲＣ＿ＦＡＩＬ＿ＭＡＸである場合、前記基地局は、段階４２９に進行して、前記Ｒ−ＣＣＣＨの受信を終了し、前記Ｒ−ＣＣＣＨ、ＣＰＣＣＨ、及びＣＰＣ＿ＳＣＨを解除する。
【００３６】
図５は、本発明の実施形態による基地局における順方向共通チャネルメッセージを送信する手順を示す。
図５を参照して、本発明の実施形態によって、前記基地局が前記Ｆ−ＣＣＣＨの使用終了を前記移動局に知らせる方法に関して説明する。前記Ｆ−ＣＣＣＨを通して送信されるメッセージが出力バッファに到着すると、前記基地局は、段階５１１で、前記メッセージを検出し、段階５１３で、前記Ｆ−ＣＣＣＨに伝送するデータが存在することを前記Ｆ−ＣＡＣＨに通報する。その後、前記基地局は、前記専用化チャネルまたは一般の共通チャネルを使用して前記Ｆ−ＣＣＣＨを割り当てる。
【００３７】
その後、前記基地局は、段階５１５で、前記Ｆ−ＣＣＣＨを通して伝送されるデータのサイズを分析し、段階５１７で、現在のフレームを伝送した後の残りのデータを検査する。つまり、前記基地局は、段階５１７で、現在の出力バッファ内のデータのサイズが前記フレームサイズより小さいか否かを検査する。段階５１７で、前記Ｆ−ＣＣＣＨを通して伝送されるデータの残りの量が、現在伝送されるフレームのサイズを超過する場合、つまり、次に伝送されるＦ−ＣＣＣＨメッセージフレームが存在する場合、前記基地局は、段階５１９で、前記ＣＩインジケータを‘１’(ＣＩ＝１、“no end frame”を示す)にセットして、次に伝送されるフレームが存在することを表示する。その後、前記基地局は、段階５２１で、前記生成されたメッセージフレームを前記Ｆ−ＣＣＣＨを通して伝送し、段階５１５に戻って次のメッセージフレームの伝送に備える。
【００３８】
前記のような過程を繰り返すことによって、前記基地局は、前記Ｆ−ＣＣＣＨを通して伝送されるデータの残りの量を調査する。段階５１７で、前記Ｆ−ＣＣＣＨを通して伝送されるデータの残りの量が現在伝送されるフレームのサイズを超過しない場合、つまり、次に伝送されるＦ−ＣＣＣＨメッセージフレームが存在しない場合、前記基地局は、段階５２３で、前記ＣＩインジケータを‘０’(ＣＩ＝０、“end frame”を示す)にリセットして、次に伝送されるフレームが存在しないことを表示する。その後、前記基地局は、段階５２５で、前記生成されたメッセージフレームを前記Ｆ−ＣＣＣＨを通して伝送し、段階５２７で、前記Ｆ−ＣＣＣＨを解除する。
【００３９】
前記基地局がメッセージフレームにＣＩを付加して送信すると、前記移動局は、図６の過程によって、前記Ｆ−ＣＣＣＨを通して受信されるメッセージを処理する。
図６を参照すると、前記移動局は、段階６１１で、前記Ｆ−ＣＣＣＨ割り当てメッセージが前記Ｆ−ＣＡＣＨを通して伝送されるか否かを周期的に検査する。前記Ｆ−ＣＣＣＨを通して前記基地局から送信されるデータを受信すると、前記移動局は、段階６１３で、前記データを検出し、段階６１５で、前記基地局から送信されるＦ−ＣＣＣＨのメッセージを受信する。その後、前記移動局は、段階６１７で、前記Ｆ−ＣＣＣＨのメッセージフレームに付加されたＣＩインジケータを検査する。ここで、前記ＣＩインジケータは、前記基地局から伝送されるインジケータであり、次のＦ−ＣＣＣＨフレームが存在するか否かを表示する。前記ＣＩインジケータを分析した後、前記移動局は、段階６１９で、前記メッセージフレームを前記上位階層に伝送する。その後、前記移動局は、段階６２１で、前記ＣＩインジケータが“end frame”を示すか否かを判断する。前記ＣＩインジケータが“no end frame”(ＣＩ＝１)を示す場合、前記移動局は、段階６１５に戻って、次の状態に備える。しかしながら、段階６２１で、前記ＣＩインジケータが“end frame”(ＣＩ＝０)を示すようにリセットされた場合、つまり、次に伝送されるＦ−ＣＣＣＨフレームが存在しない場合、前記移動局は、前記Ｆ−ＣＣＣＨメッセージの受信を終了する。
【００４０】
要するに、前記基地局は、前記Ｆ−ＣＣＣＨを通してメッセージを伝送する時、前記Ｆ−ＣＣＣＨを通して伝送されるデータのサイズを検査して、次に伝送されるデータの有無を表示する。その後、前記移動局は、前記Ｆ−ＣＣＣＨを通して受信されるメッセージの有無を周期的に検査し、前記Ｆ−ＣＣＣＨを通してデータが受信される時は、前記ＣＩが付加されたメッセージを分析して、次のフレームの有無を確認する。受信するフレームが存在しない場合、前記移動局は、前記Ｆ−ＣＣＣＨを解除する。
【００４１】
一方、前記本発明の詳細な説明では具体的な実施形態に挙げて説明してきたが、本発明の範囲内で様々な変形が可能であるということは勿論である。従って、本発明の範囲は前記実施形態によって限られるべきでなく、特許請求の範囲とそれに均等なものによって定められるべきである。
【００４２】
【発明の効果】
前述してきたように、ＣＤＭＡ通信システムにおいて、逆方向共通チャネル通信を遂行する時、前記移動局が正確で信頼できる前記Ｒ−ＣＣＣＨの使用終了時点を前記基地局に知らせることができるので、前記基地局は、前記Ｒ−ＣＣＣＨをより多くの移動局に割り当てることができ、前記Ｒ−ＣＣＣＨの使用効率が向上するようになる。
【図面の簡単な説明】
【図１Ａ】  ＣＤＭＡ通信システムにおいて、共通チャネルの予約モード動作を説明する図である。
【図１Ｂ】  ＣＤＭＡ通信システムにおいて、共通チャネルの専用化モード動作を説明する図である。
【図２】  本発明の実施形態による共通チャネルのメッセージフォーマットを示す図である。
【図３】  本発明の実施形態によるＣＤＭＡ通信システムにおける移動局において、逆方向共通チャネルメッセージを生成し、前記生成された逆方向共通チャネルメッセージを送信する手順を示すフローチャートである。
【図４】  本発明の実施形態によるＣＤＭＡ通信システムにおける基地局において、逆方向共通チャネルメッセージを受信し、前記受信された逆方向共通チャネルを制御する手順を示すフローチャートである。
【図５】  本発明の実施形態によるＣＤＭＡ通信システムにおける基地局において、順方向共通チャネルメッセージを生成し、前記生成された順方向共通チャネルメッセージを送信する手順を示すフローチャートである。
【図６】  本発明の実施形態によるＣＤＭＡ通信システムにおける移動局において、順方向共通チャネルメッセージを受信し、前記受信された順方向共通チャネルを制御する手順を示すフローチャートである。
【図１Ａ】
0003869720.tif 000002
【図１Ｂ】
0003869720.tif 000003
【図２】
0003869720.tif 000004
【図３】
0003869720.tif 000005
【図４】
0003869720.tif 000006
【図５】
0003869720.tif 000007
【図６】
0003869720.tif 000008